(57)【要約】【課題】  他のサービスエリアでの通信データとの干渉を防止することを可能とする。【解決手段】  車両に搭載され、他の通信機と車々間通信する車々間通信機１０を備えた車々間通信システム１において、前記車々間通信機１０は、予め設定された複数のエリアのうち、現在在圏しているサービスエリアの制御局ポイントコードを取得し、通信データを送信する場合に、現在在圏するサービスエリアの制御局ポイントコードを通信データに付加して送信するようにした。【選択図】      図５
2005197871.tif 000002
【特許請求の範囲】
【請求項１】
車両に搭載され、他の通信機と車々間通信する車々間通信機を備えた車々間通信システムにおいて、
前記車々間通信機は、
予め設定された複数のエリアのうち、現在在圏しているエリアの識別情報を取得する識別情報取得手段を有し、
通信データを送信する場合に、現在在圏するエリアの識別情報を通信データに付加して送信する
ことを特徴とする車々間通信システム。
【請求項２】
前記車々間通信機は、
前記エリア内での通信タイミングを規定する制御情報を受信する制御情報受信手段と、
前記制御情報受信手段にて前記制御情報が受信されなかった場合に、前記エリアの識別情報を前記制御情報に付加して送出する制御情報送出手段と
を具備することを特徴とする請求項１に記載の車々間通信システム。
【請求項３】
前記車々間通信機は、
前記制御情報受信手段にて前記制御情報が受信された場合、現在のエリア内では、受信された制御情報にて規定される通信タイミングで前記通信データを送受する
ことを特徴とする請求項２に記載の車々間通信システム。
【請求項４】
前記制御情報受信手段は、新たなエリアに車両が進入した場合に、予め定められた時間の間、前記制御情報の受信を試みることを特徴とする請求項２または３に記載の車々間通信システム。
【請求項５】
前記エリアごとの位置情報及び識別情報を記憶する記憶手段と、
現在位置を検出する位置検出手段とを有し、
前記位置検出手段により検出された現在位置に基づいて車両が在圏するエリアの識別情報と特定するエリア特定装置を更に備え、
前記エリア特定装置は、車々間通信機と通信可能に各車両に搭載され、この車々間通信機が有する前記識別情報取得手段は、当該エリア特定装置から前記識別情報を取得する
ことを特徴とする請求項１乃至４のいずれかに記載の車々間通信システム。
【請求項６】
前記エリアの位置情報は、少なくとも、前記エリアの中心位置及び径を含むことを特徴とする請求項５に記載の車々間通信システム。
【請求項７】
前記エリア特定装置は、カーナビゲーション装置に設けられている
ことを特徴とする請求項５または６に記載の車々間通信システム。
【請求項８】
前記複数のエリアのうち、互いに隣接するエリアの各々には、無線チャンネルとして互いに異なる無線周波数チャンネルが割り当てられていることを特徴とする請求項１乃至７のいずれかに記載の車々間通信システム。
【請求項９】
互いに隣接するエリアの各々では、前記車々間通信機は、前記制御情報を送信する場合、互いに異なる通信タイミングを規定する制御情報を送信する
ことを特徴とする請求項２乃至７のいずれかに記載の車々間通信システム。
【請求項１０】
車両に搭載され、他の通信機と車々間通信する車々間通信機において、
予め設定された複数のエリアのうち、現在在圏しているエリアの識別情報を取得する識別情報取得手段を有し、
通信データを送信する場合に、現在在圏するエリアの識別情報を通信データに付加して送信する
ことを特徴とする車々間通信機。
【請求項１１】
前記車々間通信機は、
前記エリア内での通信タイミングを規定する制御情報を受信する制御情報受信手段と、
前記制御情報受信手段にて前記制御情報が受信されなかった場合に、前記エリアの識別情報を前記制御情報に付加して送出する制御情報送出手段と、
前記制御情報受信手段にて前記制御情報が受信された場合、現在のエリア内では、受信された制御情報にて規定される通信タイミングで前記通信データを送受する通信制御手段と
を具備することを特徴とする請求項１０に記載の車々間通信機。
【請求項１２】
前記制御情報受信手段は、新たなエリアに車両が進入した場合に、予め定められた時間の間、前記制御情報の受信を試みることを特徴とする請求項１０または１１に記載の車々間通信機。
【請求項１３】
前記識別情報取得手段は、
前記エリアごとの位置情報及び識別情報を記憶する記憶手段と、現在位置を検出する位置検出手段とを有し、前記位置検出手段により検出された現在位置に基づいて車両が在圏するエリアの識別情報と特定するエリア特定装置から前記識別情報を取得する
ことを特徴とする請求項１０乃至１２のいずれかに記載の車々間通信機。
【請求項１４】
前記識別情報取得手段は、
前記エリアごとの位置情報及び識別情報を記憶する記憶手段と、
現在位置を検出する位置検出手段と、
前記位置検出手段により検出された現在位置に基づいて車両が在圏するエリアの識別情報と特定するエリア特定手段と
を具備することを特徴とする請求項１０乃至１２のいずれかに記載の車々間通信機。
【発明の詳細な説明】
【技術分野】
【０００１】
本発明は、車両等の移動体間で通信する車々間通信システム、及び、この車々間通信システムに用いて好適な車々間通信機に関する。
【背景技術】
【０００２】
従来から、車両等の移動体に車々間通信機（無線通信装置）を搭載し、車々間で通信を行う車々間通信システムが知られている。この種の車々間通信システムにおいては、無線チャンネルへのアクセス制御方式として、路側（インフラ側）から車々間通信機に対して制御信号を送信し、この制御信号に基づいて車々間通信機が無線チャンネルへアクセスする方式や、例えばアロハ方式（ALOHA method）に代表されるように全く制御を伴わないランダムアクセス制御方式などがある。
【０００３】
しかしながら、路側から制御信号を送る方式にあっては、車両が通信する際に、その場所（路側）にインフラが存在する必要があり、インフラが構築されていない場所では、車々間通信ができず、車々間通信システムの利用環境が制限されるといった問題がある。
【０００４】
また、上記アロハ方式に代表されるランダムアクセス制御方式の場合、車々間通信機間での通信タイミングの制御が行われないため、通信帯域を約１８％までしか利用できないことが知られており、通信資源を有効に利用できないという問題がある。
【０００５】
そこで近年では、予め定められた特定の車両が通信制御局の機能を担い通信タイミングを規定するビーコン信号等を他の車両に送信することで、この特定の車両がサービスエリア（通信可能範囲）内に存在する車両（移動体）のアクセス制御を行い、インフラを不要とすると共に、通信資源を有効に利用することが可能な方式が提案されている（例えば、特許文献１参照）。
【特許文献１】特開平１０−３３６０９２号公報
【発明の開示】
【発明が解決しようとする課題】
【０００６】
しかしながら、特定の車両を通信制御局としてサービスエリア内の各車両の通信タイミングを制御する方式にあっては、現在のサービスエリアにて送受されている通信データと、他のサービスエリアにて送受されている通信データとが互いに干渉してしまうといった問題がある。
【０００７】
本発明は、上述した事情に鑑みてなされたものであり、通信データの干渉を防止することが可能な車々間通信システム、及び、この車々間通信システムに用いて好適な車々間通信機を提供することを目的とする。
【課題を解決するための手段】
【０００８】
上記目的を達成するために、本発明は、車両に搭載され、他の通信機と車々間通信する車々間通信機を備えた車々間通信システムにおいて、前記車々間通信機は、予め設定された複数のエリアのうち、現在在圏しているエリアの識別情報を取得する識別情報取得手段を有し、通信データを送信する場合に、現在在圏するエリアの識別情報を通信データに付加して送信することを特徴とする。
【０００９】
また本発明は、上記発明において、前記車々間通信機は、前記エリア内での通信タイミングを規定する制御情報を受信する制御情報受信手段と、前記制御情報受信手段にて前記制御情報が受信されなかった場合に、前記エリアの識別情報を前記制御情報に付加して送出する制御情報送出手段とを具備することを特徴とする。
【００１０】
また本発明は、上記発明において、前記車々間通信機は、前記制御情報受信手段にて前記制御情報が受信された場合、現在のエリア内では、受信された制御情報にて規定される通信タイミングで前記通信データを送受することを特徴とする。
【００１１】
また本発明は、上記発明において、前記制御情報受信手段は、新たなエリアに車両が進入した場合に、予め定められた時間の間、前記制御情報の受信を試みることを特徴とする。
また本発明は、上記発明において、前記エリアごとの位置情報及び識別情報を記憶する記憶手段と、現在位置を検出する位置検出手段とを有し、前記位置検出手段により検出された現在位置に基づいて車両が在圏するエリアの識別情報と特定するエリア特定装置を更に備え、前記エリア特定装置は、車々間通信機と通信可能に各車両に搭載され、この車々間通信機が有する前記識別情報取得手段は、当該エリア特定装置から前記識別情報を取得することを特徴とする。
【００１２】
また本発明は、上記発明において、前記エリアの位置情報は、少なくとも、前記エリアの中心位置及び径を含むことを特徴とする。
【００１３】
また本発明は、上記発明において、前記エリア特定装置は、カーナビゲーション装置に設けられていることを特徴とする。
【００１４】
また本発明は、上記発明において、前記複数のエリアのうち、互いに隣接するエリアの各々には、無線チャンネルとして互いに異なる無線周波数チャンネルが割り当てられていることを特徴とする。
【００１５】
また本発明は、上記発明において、互いに隣接するエリアの各々では、前記車々間通信機は、前記制御情報を送信する場合、互いに異なる通信タイミングを規定する制御情報を送信することを特徴とする。
【００１６】
本発明は、車両に搭載され、他の通信機と車々間通信する車々間通信機において、予め設定された複数のエリアのうち、現在在圏しているエリアの識別情報を取得する識別情報取得手段を有し、通信データを送信する場合に、現在在圏するエリアの識別情報を通信データに付加して送信することを特徴とする。
【００１７】
また本発明は、上記発明において、前記車々間通信機は、前記エリア内での通信タイミングを規定する制御情報を受信する制御情報受信手段と、前記制御情報受信手段にて前記制御情報が受信されなかった場合に、前記エリアの識別情報を前記制御情報に付加して送出する制御情報送出手段と、前記制御情報受信手段にて前記制御情報が受信された場合、現在のエリア内では、受信された制御情報にて規定される通信タイミングで前記通信データを送受する通信制御手段とを具備することを特徴とする。
【００１８】
また本発明は、上記発明において、前記制御情報受信手段は、新たなエリアに車両が進入した場合に、予め定められた時間の間、前記制御情報の受信を試みることを特徴とする。
【００１９】
また本発明は、上記発明において、前記識別情報取得手段は、前記エリアごとの位置情報及び識別情報を記憶する記憶手段と、現在位置を検出する位置検出手段とを有し、前記位置検出手段により検出された現在位置に基づいて車両が在圏するエリアの識別情報と特定するエリア特定装置から前記識別情報を取得することを特徴とする。
【００２０】
また本発明は、上記発明において、前記識別情報取得手段は、前記エリアごとの位置情報及び識別情報を記憶する記憶手段と、現在位置を検出する位置検出手段と、
前記位置検出手段により検出された現在位置に基づいて車両が在圏するエリアの識別情報と特定するエリア特定手段とを具備することを特徴とする。
【発明の効果】
【００２１】
本発明によれば、サービスエリアに在圏する車々間通信機が通信データを送信する際に、制御局ポイントの識別情報を付加して送信するため、他のサービスエリアでの通信データとの干渉を防止することが可能となる。
【発明を実施するための最良の形態】
【００２２】
以下図面を参照して、本発明の実施の形態について説明する。図１は、本実施の形態にかかる車々間通信システム１の構成を模式的に示す図であり、図２は、当該車々間通信システム１の機能的構成を示すブロック図である。
【００２３】
図１に示すように、車々間通信システム１は、移動体たる車両２の各々に搭載された車々間通信機１０を備え、この車々間通信機１０により車両２の間で無線パケット通信を行うものである。車々間通信機１０の各々は、図２に示すように、動作モードとして制御局モードと被制御局モードとの２つの動作モードを有し、無線通信時には、各々がいずれかの動作モードで動作するように構成されている。
【００２４】
制御局モードは、この制御局モードで動作する車々間通信機１０の通信可能範囲である通信エリアＡに存在する他の車両２の通信制御を行う機能を実行する動作モードであり、この制御局モードで動作する車々間通信機１０は、同一の通信エリアＡ内の他の車々間通信機１０に対して通信タイミングを指示する動作を実行する。一方、被制御局モードは、制御局モードで動作する車々間通信機１０からの通信タイミングの指示を受ける動作モードであり、被制御局モードで動作する車々間通信機１０は、制御局モードで動作する車々間通信機１０により、無線パケット通信における通信タイミングが制御されることとなる。
【００２５】
すなわち、本実施の形態にかかる車々間通信システム１においては、同一の通信エリアＡに存在する複数の車々間通信機１０のうち、いずれか一の車々間通信機１０が制御局モードで動作すると共に、その他の車々間通信機１０が被制御局モードで動作することで、制御局モードで動作する車々間通信機１０が他の車々間通信機１０の通信タイミングを制御し、複数の車々間通信機１０（車両２）間での安定した無線通信を提供可能としている。
【００２６】
なお、以下の説明においては、制御局モードで動作する車々間通信機１０を車々間制御通信機１０ａと称し、また、被制御局モードで動作する車々間通信機１０を車々間被制御通信機１０ｂと称することで、各々を区別することにする。
【００２７】
次いで、車々間通信機１０の構成について、より詳細に説明する。車々間通信機１０は、プログラムの実行主体であり通信制御手段などの各種制御手段として機能するＣＰＵや、当該プログラム及び各種のデータを格納する記憶手段、他の通信機との間で無線通信する無線通信手段（共に不図示）を備え、記憶手段には、上記制御局モードの機能を実現するためのプログラムや、被制御局モードの機能を実現するためのプログラム等が格納されている。また、車々間通信機１０は、図２に示すように、同一車両２に搭載された車載ナビゲーション装置１１と相互にデータ通信可能に信号ケーブル等で接続されている。
【００２８】
車載ナビゲーション装置１１は、自装置の各部を制御する制御手段としての制御部の他、自車位置を検出する手段としての自車位置検出部１１０と、地図データベース部１２０とを備えている。
【００２９】
自車位置検出部１１０は、ＧＰＳアンテナ１１１を有するＧＰＳ（Global Positioning System）航法ユニットと、車速パルスセンサや加速度センサ等の各種センサを有する自立航法ユニットとを備えている。ＧＰＳ航法ユニットは、ＧＰＳレシーバを備え、測位衛星からの受信電波に基づいて自車位置を検出する。自立航法ユニットは、車速パルスセンサからのセンサ信号や加速度センサからのセンサ信号に基づいて車両２の速度（移動距離）や移動方向を検出し車両２外部（例えばＧＰＳ衛星）からの信号を用いずに自車位置を検出するものである。かかる構成により、自車位置検出部１１０は、ＧＰＳ航法と自立航法とのハイブリット航法により、自車位置を精度よく計算可能となっている。
【００３０】
地図データベース部１２０は、地図データ１２１を格納するものであり、ハードディスク装置或いは光ディスク装置等の記憶手段を備えている。図３は、地図データベース部１２０に格納されている地図データ１２１の構成を模式的に示す図である。
【００３１】
図３に示すように、地図データ１２１には、予め設定された複数のサービスエリアの中心を示す制御局ポイント２００の位置情報（座標情報）と、当該制御局ポイント２００、すなわち、サービスエリアを一意に特定するための制御局ポインコード（識別情報）２０１と、制御局ポイント２００を中心としたサービスエリアのサイズ（径）２０２とが登録されている。同図に示すように、各制御局ポイント２００は、隣接する通信エリアが互いに重なり合うように地図上に配置されており、これにより途切れることの無い車々間通信が可能となる。
【００３２】
なお、本実施形態におけるサービスエリアは、一般的な固定基地局が形成する移動端末との無線通信可能範囲ではなく、地図上において、通信可能領域を複数のエリアに分割してなるエリアを指す。このサービスエリアの配置（すなわち、制御局ポイント２００の設定位置）は、電波環境測定データや交通量情報等に基づき最も有利な通信状態が得られるポイントに配置するのが望ましく、また、一定間隔で幾何学的な配置を取ることも可能である。また、同図に示す制御局ポイント２００の位置情報等は、地図データ１２１に付加する構成に限らず、上記制御局ポイント２００ごと、すなわち、制御局ポイントコード２０１ごとに、その位置情報と、サービスエリアサイズとがテーブルデータとして地図データ１２１と別途に格納される構成としても良い。
【００３３】
さて、かかる構成の下、車載ナビゲーション装置１１は、上記自車位置検出部１１０にて計算された自車位置に基づいて、自車両２が在圏しているサービスエリア２０２及びその制御局ポイントコード２０１を上記地図データベース部１２０に格納されているデータを検索することで特定し、車々間通信機１０に出力する。
【００３４】
車々間通信機１０は、車載ナビゲーション装置１１から制御局ポイントコード２０１を取得すると、当該制御局ポイントコード２０１を通信データに付加して通信する。
【００３５】
本実施の形態にかかる車々間通信システム１においては、車々間通信機１０が送受する通信データ２５０として、制御パケット２５０ａと、データパケット２５０ｂとの２種類の通信データが用いられる。図４は、制御パケット２５０ａとデータパケット２５０ｂとの構成を模式的に示す図である。
【００３６】
制御パケット２５０ａは、制御局モードで動作する車々間通信機１０、すなわち、車々間制御通信機１０ａが通信タイミングの制御のために一定の時間間隔で定期的に送出する通信データである。この制御パケット２５０ａのパケットヘッダには、上記車載ナビゲーション装置１１から出力された制御局ポイントコード２０１が付加されると共に、通信タイミング制御情報がデータとして付加される。通信タイミング制御情報は、スロット同期通信等に用いられる、いわゆるビーコンパケットと略同等な情報が格納される。詳述すると、通信タイミング制御情報は、時分割された通信スロットのうち何番目のスロットにて当該制御パケット２５０ａが送信されたかを示す情報である。従って、被制御局モードで動作する車々間通信機１０、すなわち、車々間被制御通信機１０ｂは、この制御パケット２５０ａを受信することで、制御パケット２５０ａの受信タイミングを同期ポイントとして同期をとると共に、通信タイミング制御情報に基づいてデータを送信すべき期間（タイミング）を特定することとなる。
【００３７】
データパケット２５０ｂは、各車々間通信機１０の間で送受するデータ（情報）を送信するための通信パケットである。このデータパケット２５０ｂのパケットヘッダには、上記車載ナビゲーション装置１１から出力された制御局ポイントコード２０１が付加されると共に、各車々間通信機１０の間で送受するデータが付加される。
【００３８】
このように、本実施の形態にかかる車々間通信システム１にあっては、車々間制御通信機１０ａが制御パケット２５０ａを送信する際に、通信タイミング制御情報に制御局ポイントコード２０１を付加して送信することで、同一サービスエリア及び同一通信エリアＡに存在する他の車々間通信機１０に対して当該通信タイミング制御情報に基づいて通信同期を確立し通信データを送受する旨を明示する構成となっている。
【００３９】
次いで、本実施の形態の動作について説明する。以下の動作説明においては、車両２が新たなサービスエリアに進入した際に、この車両２に搭載された車々間通信機１０が制御局モード及び被制御局モードのいずれかの動作モードを選択・実行するときの動作について説明する。
【００４０】
図５は、車々間通信機１０の手順を示すフローチャートである。この図に示すように、車載ナビゲーション装置１１による自車位置検出により、車両２が新たなサービスエリアに進入したことを車々間通信機１０が検知すると、車々間通信機１０は、先ず、このサービスエリア内で他の車々間通信機１０から制御パケット２５０ａが既に送信されているかを検知するために、受信待機状態に移行して、当該サービスエリア内で送受されている全ての通信データの受信を行うための処理を実行する（ステップＳ１）。
【００４１】
具体的には、車々間通信機１０は、車載ナビゲーション装置１１から、現在のサービスエリアの制御局ポイントコード２０１を受信し（ステップＳ２）、そして、この制御局ポイントコード２０１が付加された制御パケット２５０ａを受信すべく受信待機状態に移行し（ステップＳ３）、予め設定された一定時間の間、制御パケット２５０ａの受信を試みる（ステップＳ４）。
【００４２】
車々間通信機１０は、この受信待機状態の間に制御パケット２５０ａを受信できた場合（ステップＳ４：ＹＥＳ）、既に他の車々間通信機１０により、通信タイミングの制御が実施されているため、その制御パケット２５０ａに基づいて通信同期を確立すべく、動作モードを被制御局モードに移行する（ステップＳ５）。
【００４３】
一方、車々間通信機１０は、受信待機状態に移行したときから一定時間が経過しても、制御パケット２５０ａを受信できなかった場合には（ステップＳ４：ＮＯ）、当該サービスエリア内に制御局モードで動作する車々間通信機１０が存在しないことを意味するため、動作モードを制御局モードに移行して、当該サービスエリアの制御局ポイントコード２０１を付加した制御パケット２５０ａを定期的に送出する動作を開始する（ステップＳ６）。
【００４４】
以上の処理により、車々間通信機１０は、制御局モードまたは被制御局モードのいずれかの動作モードを決定し、その後に、車々間で通信データ（データパケット２５０ｂ）の送受を行うこととなる。
【００４５】
また、本実施の形態にかかる車々間通信システム１にあっては、制御局モードで動作する車々間制御通信機１０ａが現在のサービスエリア外に出る場合、現在のサービスエリアにて通信タイミングを制御する車々間通信機１０が存在しなくなるため、車々間制御通信機１０ａが、現在のサービスエリア外に出る際に、他の車々間通信機１０に対して、その旨を通知するようになっている。
【００４６】
具体的には、同図５に示すように、制御モードで動作する車々間通信機１０を搭載した車両２が移動して地図データ１２１上に設定された制御局ポイント２００のサービスエリア外に出る場合、車載ナビゲーション装置１１は、オール”０”等の所定の制御局ポイントコード２０１を当該車々間制御通信機１０ａに対して送信する（ステップＳ７）。これを受信した車々間制御通信機１０ａは、被制御モードで動作する他の車々間被制御通信機１０ｂに対して、制御ポイントコード２０１を上記所定値とした制御パケット２５０ａを送信し、自身が現在のサービスエリア外に出ることを通知する（ステップＳ８）。
【００４７】
そして、車両２がサービスエリア外に出て、新たなサービスエリアに進入すると、上記ステップＳ２に示すように、車載ナビゲーション装置１１から新たなサービスエリアの制御局ポイントコード２０１が車々間通信機１０に対して送信され、制御局モード或いは被制御局モードの何れかの動作モードを決定するために再び受信待機処理を実行する。なお、サービスエリア間に重なりがある場合、車載ナビゲーション装置１１は新たなサービスエリアに入る前に、上記所定値の制御ポイントコード２０１を車々間通信機１０に送信し、また、新たなサービスエリアに進入したと計算した時点で、新しい制御局ポイントコード２０１を車々間通信機１０に対して送信する。
【００４８】
一方、被制御モードで動作する車々間被制御通信機１０ｂは、制御パケット２５０ａとして、上記オール”０”等の所定値の制御ポイントコードが付加された制御パケット２５０ａを受信した場合、ステップＳ３に処理手順を戻し、他の車々間通信機１０からの制御パケット２５０ａの受信を一定時間試みた後、制御パケット２５０ａを受信できれば、動作モードをそのまま被制御モードとし、受信できなければ、動作モードを制御モードに移行することとなる。なお、車々間被制御通信機１０ｂが新たなサービスエリアに進入する場合には、処理手順をステップＳ２に戻し、車載ナビゲーション装置１１から新たな制御局ポイントコード２０１を受信し、そして、所定時間の間、制御パケット２５０ａの受信待機状態に移行することとなる。
【００４９】
以上説明したように、本実施の形態によれば、サービスエリアに在圏する車々間通信機が通信データを送信する際に、制御局ポイントの識別情報を付加して送信するため、他のサービスエリアでの通信データとの干渉を防止することが可能となる。
【００５０】
更に、車々間通信機１０の各々が制御局モードと被制御局モードとの２つの動作モードを有し、新たなサービスエリアに進入した際に、通信タイミングを規定する制御情報たる制御パケット２５０ａを受信できなかった場合に、制御局モードにて動作し、同一のサービスエリアに存在する他の車々間通信機１０に対して制御パケット２５０ａを送信する構成であるため、路側等に制御パケットを送信するためのインフラを設ける必要が無く、なおかつ、不特定多数の一般の車両２の間で簡単に車々間通信システムを構築することが可能となる。
【００５１】
また、本実施の形態によれば、車々間通信機１０のいずれかが制御局モードで動作し、通信タイミングを制御すると共に、他の車々間通信機１０が被制御局モードで動作して、通信タイミングの制御を受ける構成としたため、ＣＳＭＡ／ＣＡ（Carrier Sense Multiple Access with Collision Avoidance）方式等の一般的な無線データ通信で使用されているプロトコルを適用する事無く車々間通信を実現することができる。
【００５２】
特に、このＣＳＭＡ／ＣＡプロトコルにて行われるコリジョン（同じ回線を流れる信号同士の衝突）が発生した際の送信遅延処理が行われるため、送信する情報のリアルタイム性の確保が困難となり、緊急を要する情報の送受に支障が生じることとなるものの、本実施の形態にあっては、かかるプロトコルを適用する必要が無いため、車々間で情報をリアルタイムに送受することが可能となると共に、緊急を要する情報であっても、何ら問題なく送受することが可能となる。
【００５３】
また、各車々間通信機１０は、自分が送信する時以外は、制御局ポイントコード２０１にかかわらず全ての通信データ（データパケット２５０ｂ）を受信するようにすることで、サービスエリアにかかわらず周辺にいる車両２の情報（通信データ）を取得することも可能となる。
【００５４】
上述した実施の形態は、あくまでも本発明の一態様であり、本発明の範囲内で任意に変形可能である。
【００５５】
例えば、上記実施の形態では、車載ナビゲーション装置１１と車々間通信機１０とを別体として設ける構成としたが、これらを一体とする構成としても良い。すなわち、車々間通信機１０に、上記自車位置検出部１１０や地図データベース部１２０等を設ける構成とし、車々間通信機１０が現在の位置検出やサービスエリア及び制御局ポイント２００の識別情報の特定を行う構成としても良い。
【００５６】
また例えば、上記実施の形態において、同一のサービスエリア内では、当該サービスエリアの制御局ポイントコード２０１を識別情報として通信データに付加して送受することで、他のサービスエリアにて送受される通信データとの干渉を防止する構成としたが、これに加えて、更に、互いに隣接するサービスエリアの各々に割り当てる無線周波数チャンネルを互いに異ならせるか、或いは、互いに隣接するサービスエリアの各々での通信タイミングを互いに異ならせることで、通信データの干渉発生を防止する効果をより高めることが可能となる。なお、隣接サービスエリアの各々で通信タイミングを異ならせるには、例えば車々間通信機１０或いは車載ナビゲーション装置１１が、各サービスエリアでの通信タイミングを規定するサービスタイミング情報を予め記憶し、このサービスタイミング情報に基づいて制御パケット２５０ａの送受動作を実行する構成とすれば良い。サービスタイミング情報には、例えば、ＧＰＳ信号から得られる絶対時間を基準とした通信タイミング情報などを用いることが可能である。
【図面の簡単な説明】
【００５７】
【図１】本発明の実施の形態にかかる車々間通信システムの構成を模式的に示す図である。
【図２】車々間通信機及び車載ナビゲーション装置の機能的構成を示すブロック図である。
【図３】地図データを模式的に示す図である。
【図４】通信データとして送受する制御パケット及びデータパケットの構成を示す図である。
【図５】車々間通信機の動作手順を示すフローチャートである。
【符号の説明】
【００５８】
１  車々間通信システム
２  車両
１０  車々間通信機
１０ａ  車々間制御通信機
１０ｂ  車々間被制御通信機
１１  車載ナビゲーション装置
１１０  自車位置検出部
１２０  地図データベース部
１２１  地図データ
２０１  制御局ポイントコード
２０２  サービスエリア
２５０  通信データ
２５０ａ  制御パケット
２５０ｂ  データパケット
【図１】
2005197871.tif 000003
【図２】
2005197871.tif 000004
【図３】
2005197871.tif 000005
【図４】
2005197871.tif 000006
【図５】
2005197871.tif 000007